Podtech/llm-jp-corpus-v4-ja_patent huggingface dataset:
(57)【要約】【課題】歯磨き時に歯茎ないし頬の内面をもマッサージすることができるようにした歯ブラシを提供する。【解決手段】多数本の毛１が植設された植毛面３を有するヘッド部５と、該ヘッド部に連続して形成された把持部とを備えた歯ブラシにおいて、前記ヘッド部における一対の側面１１ａ、１１ｂに歯茎又は頬の内面をマッサージするための突起１３をそれぞれ備えさせたことを特徴とする歯ブラシ。前記植毛面には、多数本の毛を全体形状が植毛面から離れるにしたがい徐々に狭幅になるように正面視略テーパ状に植設する。  【選択図】図２
2011115438.tif 000002
【特許請求の範囲】
【請求項１】
多数本の毛が植設された植毛面を有するヘッド部と、該ヘッド部に連続して形成された把持部とを備えた歯ブラシにおいて、
前記ヘッド部における一対の側面に歯茎又は頬の内面をマッサージするための突起をそれぞれ備えさせたことを特徴とする歯ブラシ。
【請求項２】
前記植毛面には、多数本の毛を全体形状が植毛面から離れるにしたがい徐々に狭幅になるように正面視略テーパ状に植設したことを特徴とする請求項１に記載の歯ブラシ。  
【発明の詳細な説明】
【技術分野】
【０００１】
本発明は、歯ブラシに関するものであり、特に、歯磨き時に歯茎（歯肉）ないし頬の内面をもマッサージすることができるようにした歯ブラシに係るものである。
【背景技術】
【０００２】
歯ブラシとしては、多数本の毛が植設された植毛面を有するヘッド部と、該ヘッド部に連続して形成された把持部とを備えたもの（以下「従来の歯ブラシＡ」という。）が従来より一般に使用されている。
【０００３】
特開２００８−１８８１３３号公報は、従来の歯ブラシＡにおいて、把持部における植毛面に連続する第一の面とこれに対向する第二の面とに、該把持部の長手方向に複数列の突起を一体的に形成してなる歯ブラシ（以下「従来の歯ブラシＢ」という。）を開示している。
【０００４】
従来の歯ブラシＢにおける把持部に形成された突起は、歯ブラシの使用時に手の滑りを防止すると共に、使用者の手の平全体に接触することにより脳の緊張を緩和してリラックスさせるものである。
【先行技術文献】
【特許文献】
【０００５】
【特許文献１】特開２００８−１８８１３３号公報
【発明の概要】
【発明が解決しようとする課題】
【０００６】
本発明は、歯磨き時に歯茎ないし頬の内面をもマッサージすることができるようにした歯ブラシを提供しようとしてなされたものである。
【課題を解決するための手段】
【０００７】
上記課題を解決するために、本発明は、下記の歯ブラシを提供する。
【０００８】
（１）多数本の毛が植設された植毛面を有するヘッド部と、該ヘッド部に連続して形成された把持部とを備えた歯ブラシにおいて、
前記ヘッド部における一対の側面に歯茎又は頬の内面をマッサージするための突起をそれぞれ備えさせたことを特徴とする歯ブラシ（請求項１）。
【０００９】
（２）前記植毛面には、多数本の毛を全体形状が植毛面から離れるにしたがい徐々に狭幅になるように正面視略テーパ状に植設する（請求項２）。
【発明の効果】
【００１０】
［請求項１の発明］
植毛面を有するヘッド部における一対の側面に歯茎又は頬の内面をマッサージするための突起をそれぞれ備えさせているため、使用者は植毛面に植設された毛の先端を歯に当てて歯を磨きながら、同時に該突起により歯茎又は頬の内面をマッサージすることができる。歯茎は、その外側面のみならず内側面も、該突起によりマッサージすることができる。
【００１１】
突起により歯茎又は頬の内面をマッサージすることにより、唾液腺が刺激され、唾液の分泌が促進される。
【００１２】
［請求項２の発明］
ヘッド部の植毛面には多数本の毛を全体形状が植毛面から離れるにしたがい徐々に狭幅になるように正面視略テーパ状に植設しているため、植毛面に植設された毛の先端を歯に当てたときにヘッド部の突起は歯茎に容易に当接する。
【図面の簡単な説明】
【００１３】
【図１】図１は、本発明による歯ブラシの一例を示す平面図である。
【図２】図２は、同上歯ブラシにおけるヘッド部の断面図である。
【図３】図３は、本発明による歯ブラシの別の一例におけるヘッド部の断面図である。
【発明を実施するための形態】
【００１４】
本発明による歯ブラシは、多数本の毛１が植設された植毛面３を有するヘッド部５と、該ヘッド部５に連続して形成された把持部７とを備えている点においては、上記従来の歯ブラシＡと同様である。
【００１５】
ヘッド部５と把持部７とは、好ましくは、合成樹脂により一体的に形成する。ヘッド部５と把持部７とには、図２に示すように、例えば硬質樹脂等の芯材９を内設させてもよい。
【００１６】
しかして、本発明においては、歯ブラシのヘッド部５における一対の側面（左右一対の側面）１１ａ、１１ｂに歯茎又は頬の内面をマッサージするための柔軟な突起１３をそれぞれ備えさせる。
【００１７】
図２に示す事例においては、突起１３はヘッド部５とは別体のものであり、例えばポリプロピレン、シリコン等により形成されている。
【００１８】
図２に示す事例においては、突起１３は凸状基部１５を備えており、該凸状基部１５をヘッド部５の側面１１ａ（１１ｂ）に備えさせた凹部１７に嵌着することにより、該突起１３をヘッド部５の側面１１ａ（１１ｂ）に固定している。
【００１９】
図３に示す事例においては、突起１３は歯ブラシのヘッド部５と一体的に形成されている。
【００２０】
突起１３は、ヘッド部５における一対の側面１１ａ、１１ｂにそれぞれ単数個又は複数個備えさせる。
【００２１】
図２に示す事例においては、植毛面３には、多数本の毛１を正面視略テーパ状に植設している。すなわち、多数本の毛１は、図２の如く正面から見たときに、多数本の毛１の全体形状が植毛面３から離れるにしたがい徐々に狭幅になるように略テーパ状に形成されている。
【符号の説明】
【００２２】
１  毛
３  植毛面
５  ヘッド部
７  把持部
９  芯材
１１ａ  側面
１１ｂ  側面
１３  突起
１５  凸状基部
１７  凹部
【図２】
2011115438.tif 000003
【図３】
2011115438.tif 000004
【図１】
2011115438.tif 000005
(57)【要約】【課題】  装飾性、ファッション性に優れるとともに、フォーマルな場や華やかなパーティ等の用途に応じた多様な着用を可能としたミュール、パンプス、ブーツ等のハイヒール婦人靴、及びこのハイヒール婦人靴に装着する専用の装飾品を提案する。【解決手段】  高いヒール３を備えたミュール、パンプス、ブーツ等のハイヒール婦人靴において、ヒール３の後面の上方位置に装着する複数の装飾品７、８を、着脱自在且つ取替自在としたことを特徴する。【選択図】図４
2011115475.tif 000002
【特許請求の範囲】
【請求項１】
高いヒール３を備えたミュール、パンプス、ブーツ等のハイヒール婦人靴において、
ヒール３の後面の上方位置に装着する複数の装飾品７、８を、着脱自在且つ取替自在としたことを特徴とするハイヒール婦人靴。
【請求項２】
装飾品７、８の着脱手段として雌雄一対のホック５、６を用い、その一方をヒール３に埋設し、他方を装飾品７、８の背面に取り付けた請求項１に記載のハイヒール婦人靴。
【請求項３】
請求項１又は２に記載のハイヒール婦人靴に装着する装飾品。
【請求項４】
コサージュである請求項３に記載の装飾品。
【発明の詳細な説明】
【技術分野】
【０００１】
この発明は、装飾性、ファッション性に優れるとともに、用途に応じた多様な着用を可能としたハイヒール婦人靴及びその装飾品に関するものである。
【背景技術】
【０００２】
高いヒールを備えたミュール、パンプス、ブーツ等のハイヒール婦人靴は、ファッション性が高いものである。カジュアルからフォーマルの用途に応じて甲皮の素材やデザインが決定され、豪華なものには様々な装飾が施される。この装飾は、甲皮に装飾品を装着する他、ヒールから甲皮に至るまで全体に装飾を施した極めて豪華なものもあり、華やかなパーティ等の用途に用いられる。
【０００３】
一方、従来のハイヒール婦人靴はデザインや装飾が固定的であり、豪華なものはフォーマルな場には不適格で、用途に適したものを数足用意しなければならなかった。特許文献１に示すように、踵に巻くストラップを着脱可能とした婦人靴も提案されているが、用途が拡大されるものの特別に装飾性に優れるものではない。
【先行技術文献】
【特許文献】
【０００４】
【特許文献１】特開２００３−９９０９号公報
【発明の概要】
【発明が解決しようとする課題】
【０００５】
この発明は、新規なハイヒール婦人靴及びその装飾品を提案し、装飾性、ファッション性に優れるとともに、フォーマルな場や華やかなパーティ等の用途に応じた多様な着用を可能としたミュール、パンプス、ブーツ等のハイヒール婦人靴、及びこのハイヒール婦人靴に装着する専用の装飾品を提案することを目的とするものである。
【課題を解決するための手段】
【０００６】
上記の目的を達成するため、この発明は、高いヒール３を備えたミュール、パンプス、ブーツ等のハイヒール婦人靴において、ヒール３の後面の上方位置に装着する複数の装飾品７、８を、着脱自在且つ取替自在としたことを特徴とするものである。
【０００７】
また、装飾品７、８の着脱手段として雌雄一対のホック５、６を用い、その一方をヒール３に埋設し、他方を装飾品７、８の背面に取り付けるものである。
【０００８】
また、この発明の装飾品は、上記ハイヒール婦人靴に装着するための専用の装飾品であり、特に花をモチーフとしたコサージュが適用するものである。
【発明の効果】
【０００９】
この発明のハイヒール婦人靴は、ヒール３の後面の上方位置に装着する複数の装飾品７、８を、着脱自在且つ取替自在としたので、フォーマルな場や華やかなパーティ等の用途に応じた装飾品７、８を選択して装着し、一足の婦人靴で今までにない多様な着用が可能である。また、ヒール３の後面の上方位置に装飾品７、８を装着するので、後方から容易に確認可能なデザイン上のアクセントとなり、装飾性、ファッション性に優れるとともに、非着用時には取り外しておくことで、装飾品７、８の汚れや損傷を防ぐことができ、長期の着用が可能である。
【００１０】
また、この発明の装飾品７、８の着脱手段としては、磁石、面テープ、ネジ止め等の任意の手段が適用可能であり、着脱手段として雌雄一対のホック５、６を用い、その一方をヒール３に埋設し、他方を装飾品７、８の背面に取り付けるようにすれば、樹脂製ヒール３の成形時にインサートすることで一体に形成され、生産性の向上が図られるとともに、装飾品７、８の着脱及び取替も容易に行うことができる。
【００１１】
また、この発明の装飾品７、８は非着用時に取り外しておけるので、女性用装身アクセサリとして代表的なコサージュやリボン等が適用可能であり、その他、着脱手段を隠すだけの小片、各種の意匠を施したプレート、ブローチのような金属装身具等が適用可能である。これらの複数の装飾品７、８とハイヒール婦人靴をセットで販売する他、装飾品７、８を単品として販売してもよく、様々な商品展開が可能である。
【図面の簡単な説明】
【００１２】
【図１】この発明のハイヒール婦人靴の実施例で、側面図。
【図２】背面図。
【図３】この発明の装飾品の実施例で、（Ａ）背面図、（Ｂ）側面図。
【図４】装飾品を装着した状態のハイヒール婦人靴の側面図。
【図５】他の装飾品の実施例で、（Ａ）正面図、（Ｂ）側面図。
【図６】装飾品を装着した状態のハイヒール婦人靴の背面図。
【発明を実施するための形態】
【００１３】
以下にこの発明の実施形態について、図面を用いて具体的に説明する。
図１及び２は、この発明のハイヒール婦人靴の実施例で、甲皮１に紐や留め具が無い履き口の広いスリップオンタイプのパンプスで、その右足用を図示している。中底を介して表底２が甲皮１の底部に接合され、踵部には所定の高さの樹脂製ヒール３が接合されている。このヒール３の後面の上方位置に、雌雄一対のホックの雌部材５が、樹脂製ヒール３の成形時にインサートされて埋設されている。
【００１４】
図３は、このハイヒール婦人靴に装着する装飾品の実施例で、花をモチーフとしたコサージュ７である。このコサージュ７の背面中央に、雌雄一対のホックの雄部材６が取り付けられ、図４に示すように、雄部材６を雌部材５に嵌めてコサージュ７をヒール３の後面の上方位置に装着する。
【００１５】
図５は、装飾品の他の実施例で、表面に任意の意匠を施したプレート８である。このプレート８の背面に、同じく雌雄一対のホックの雄部材６が取り付けられ、図６に示すように、雄部材６を雌部材５に嵌めてプレート８をヒール３の後面の上方位置に装着する。コサージュ７とプレート８は着脱自在且つ取替自在であるから、用途に応じて選択して装着し、一足の婦人靴で今までにない多様な着用が可能である。
【符号の説明】
【００１６】
３  ヒール
５、６  ホック
７、８  装飾品
【図１】
2011115475.tif 000003
【図２】
2011115475.tif 000004
【図３】
2011115475.tif 000005
【図４】
2011115475.tif 000006
【図５】
2011115475.tif 000007
【図６】
2011115475.tif 000008
(57)【要約】      （修正有）【課題】いかの旨みを増し、雑味のない、均一な食感を有する塩辛の製造方法を提供する。【解決手段】いか身からいかみみを切り離していか身といかみみの皮をそれぞれ剥離除去し、２４時間以上冷凍保存し、寄生虫の完全除去と水分を減少させ、いか身の醤油に漬け込む時間は３０分〜７２時間とし、いかみみの醤油に漬け込む時間は１０分〜４８時間とし、いか内臓の醤油に漬け込む時間は、３０分〜１２０時間とする。いか内臓を漬け込んだ後でいか内臓を裏ごしして血管等の繊維物等を除去する。いか身及びいかみみを短冊状に切り揃え、処理したいか内臓に加える。【選択図】なし【特許請求の範囲】
【請求項１】
いか身及びいかみみは筒状の状態より切り開いた状態にし、いかみみを切り離していか身といかみみの皮をそれぞれ剥離除去し、２４時間以上冷凍保存し、寄生虫の完全除去と水分減少により旨みを増加させる加工法。
【請求項２】
いか身に於いて醤油に漬け込む時間は３０分〜７２時間とし、いかみみを醤油に漬け込む時間は１０分〜４８時間とし、いか内臓を醤油に漬け込む時間は、３０分〜１２０時間時間とする加工法。
【請求項３】
いか内臓を漬け込んだ後でいか内臓を裏ごしして血管等の繊維物等を除去する加工法。
【請求項４】
請求項１で処理したいか身及びいかみみを短冊状に切り揃え、請求項３で処理されたいか内臓に加え、いか身及びいかみみを各々別々に混ぜ合わせ各々を製品とする加工法。
【発明の詳細な説明】
【技術分野】
【０００１】  この発明は、醤油等を用いた塩辛に関するものである。
【背景技術】
【０００２】  従来の塩辛は、いか身及びいかみみを短冊状に切り、足は短冊と同様の長さに切り揃えいか内臓に味付け材料（塩・醤油・味噌・調味液等）を加えて混ぜ合わせ熟成させたものか、若しくは、壷抜きいか（いかから足及び内臓を取り出した状態の形状を言う）といか内臓を味付け材料に漬け込んだ後短冊状に切り、いか内臓と混ぜ合わせたものである。
【先行技術文献】
【特許文献】
【０００３】
【特許文献１】  特開２００５−１４３３５０号公報
【発明の概要】
【発明が解決しようとする課題】
【０００４】  しかしながら、以上の製法によれば、いかの皮（外皮）及びいか内臓に含有する血管等の繊維状物の処理がされておらず雑味となる。【０００５】  加えて、いか身・いかみみを分離せず混ぜ合わせる事で食味の違いや異なる形状のためにいか内臓や味付け材料の浸透具合が均一にならず、同一物でありながら味・食感に統一性を欠く事となる。
【課題を解決するための手段】
【０００６】  以上の課題を解決するために、いか身及びいかみみは筒状の状態より切り開いた状態にし、いかみみを切り離していか身といかみみの皮をそれぞれ剥離除去し、２４時間以上冷凍保存し、寄生虫の完全除去と水分減少により旨みを増加させる。
いか身に於いて醤油に漬け込む時間は３０分〜７２時間とし、いかみみを醤油に漬け込む時間は１０分〜４８時間とし、いか内臓を醤油に漬け込む時間は、３０分〜１２０時間時間とする。
いか内臓を漬け込んだ後でいか内臓を裏ごしして血管等の繊維物等を除去する。
いか身及びいかみみは筒状の状態より切り開いた状態にし、いかみみを切り離していか身といかみみの皮をそれぞれ剥離除去し、２４時間以上冷凍保存し、寄生虫の完全除去と水分減少により旨みを増加させた、いか身及びいかみみを短冊状に切り揃え、いか内臓を漬け込んだ後でいか内臓を裏ごしして血管等の繊維物等を除去したいか内臓に加え、いか身及びいかみみを各々別々に混ぜ合わせ各々を製品とする。
【発明の効果】
【０００７】  いか身及びいかみみの皮を剥離除去し、２４時間以上冷凍することにより、寄生虫の完全除去及び、水分を減らすことによりいかの旨みを増す効果を得る。【０００８】  いか内臓は裏ごしし雑味を排除し、いか身及びいかみみ、いか内臓を各々別々に漬け込み時間を変える事により、味の浸透を一定にする効果を得る。【０００９】  いか身及びいかみみを別々に混ぜ合わせ、製品にすることにより、食味を均一にする効果を得る。
【実施例】
【００１０】  請求項１及び請求項３、請求項４について請求項２にように醤油に漬け込むだけでなく、塩若しくは味噌及び調味液等に漬け込んだ場合でも同様の効果を得ることができる。
(57)【要約】【課題】有線式リモコン集材機装置は、連結システム構造の伝導駆動機を決定とした一連維持を可能とし、作業を迅速に行うことから作業性・能率性・効率性・生産性の向上を提供する。【解決手段】集材作業の事故・トラブルによる作動停止や危険極まりない作業条件を安心・安全、しかもリモコン集中操作で省力化を図る立木伐倒用有線式リモコン集材機装置は、作業性・能率性・効率性・生産性の向上が得られる。【選択図】なし【特許請求の範囲】
【請求項１】
有線式リモコン集材機装置は、所要位置に配置されたクラッチの入・開放のクラッチとブレーキの駆動装置と発電機に指令送信と受信対応する一人の操作駆動手段を備えたリモコン装置を特徴とする。
【請求項２】
上記記載の構造にリモコンの装置は、リモコン制御盤とリモコン受令機からの出力される信号に基づき集材の機能装置を特徴とした。
【請求項３】
請求項１、２によっての有線式リモコン集材機装置は、作業トラブルによる作業停止の回避を特徴とする。
【請求項４】
請求項１から請求項３における機能を備え、自在に移動ができる構造を特徴とする。
【請求項５】
有線式リモコン集材機装置構造の趣旨を逸脱しない範囲の変更は、本発明に含まれる。
【発明の詳細な説明】
【技術分野】
【０００１】本発明は、立木集材における有線式リモコン集材機装置に関するものである。
【背景技術】
【０００２】従来、立木伐倒集材作業は手作業が大半を示しており、作業能率・危険な箇所での集材をリモコン操作集材機の製造が望まれていた。
【発明の開示】
【発明が解決しようとする課題】
【０００３】本発明は、上述の立木伐倒の集材を有線式リモコン集材機装置で制御装置を製造し、作業性・能率性・効率性・生産性向上を図る。【０００４】上記構造成形は、事故防止・安心・安全なリモコン装置の駆動手段で迅速な処理ができる。
【問題を解決するための手段】
【０００５】この発明は、有線リモコン集材制御装置の伝導駆動システムに連結機構を搭載し、構成されていることを特徴とする。
【０００６】リモコン駆動設計仕様を配置し、立木伐倒有線リモコン集材装置を用いパワー供給のバッテリーの搭載編成を特徴とする。
【０００７】上記エネルギー作用システム構造は、リモコン集材制御装置を特徴とする。
【発明の効果】
【０００８】本発明は、上述のように、リモコンを集材機能に連結システムの伝導駆動構成構造を完成させ、集材を迅速に作業ができることから作業性・能率性・効率性・生産性の向上が得られる。
【０００９】本発明は、リモコン操作による自在性を可能とする機能を備えている。しかも、トラブルの発生しないことから集材の作業能率は向上することを特徴とする。
【００１０】本発明は、リモコン操縦で作業を可能とすることから、ロボット作業量に対応した作業能率・安心・安全を提供する。
【発明を実施するための最良の形態】
【００１１】本発明の立木伐倒作業集材にリモコン制御装置を自在に適合した整合構造を備えている。さらには、伝導駆動システムの構造で連結できる。【００１２】本発明の実施形態は実施済であり、システム構造を決定する一連の機能構造をもつ全体構造を維持する。各機能に連結された実施例であり多くの詳細形態の加えられる構造趣旨を逸脱しない範囲の変更は、本発明に含まれる。
【産業上の利用可能性】
【００１３】本発明の有線式リモコン集材機装置は、機能的にロボット対応を可能とした構造のシステム化を提供するものである。よって作業性・能率性・効率性・生産の向上が得られる。
(57)【要約】【課題】本発明の緑化種子攪拌吹付機は、無線操縦制御装置を備え、連結システム構造の伝導駆動機を決定とした一連が維持でき、作業を迅速に行うことが可能なことから作業性・能率性・効率性・生産性の向上を提供する。【解決手段】従来、トラブルによる作動停止や危険極まりない作業条件を本発明の緑化種子攪拌吹付機によって、安心・安全、しかも、一人の集中操作で省力化を図り、無線操縦作業により、作業性・能率性・効率性・生産性の向上が得られる。【選択図】なし【特許請求の範囲】
【請求項１】
緑化種子攪拌吹付機無線操縦装置は、所要位置に配置されたクラッチの入・開放のクラッチとブレーキの駆動装置と発電機に指令送信と受信対応する一人の操作駆動手段を備えた無線操縦装置を特徴とする。
【請求項２】
上記記載の構造に無線装置は、無線操縦制御盤と無線操縦受令機からの出力される信号に基づき緑化種子攪拌吹付機の機能装置を特徴とした。
【請求項３】
請求項１、２によっての緑化種子攪拌吹付機縦装置の吐出量は、４００Ｌ／ｍｉｎ・吹付揚程は、４０ｍを特徴とする。
【請求項４】
請求項１から請求項３における機能を備え、自在に移動ができる構造を特徴とする。
【請求項５】
緑化種子攪拌吹付機構造は、本発明趣旨を逸脱しない範囲の変更は、本発明に含まれる。
【発明の詳細な説明】
【技術分野】
【０００１】本発明は、緑化種子攪拌吹付機における無線操縦装置に関するものである。
【背景技術】
【０００２】従来、緑化種子攪拌吹付作業は手作業が大半を示しており、作業能率・危険な箇所の作業は、無線操縦が望まれていた。
【発明の開示】
【発明が解決しようとする課題】
【０００３】本発明は、上述の無線方式において、緑化種子攪拌吹付制御装置を製造し、作業性・能率性・効率性・生産性向上を図る。【０００４】上記構造成形は、事故防止・安心・安全な緑化種子攪拌吹付を無線操縦装置の駆動手段で迅速な処理ができる。
【問題を解決するための手段】
【０００５】この発明は、緑化種子攪拌吹付を無線制御装置の伝導駆動システムに連結機構を搭載し、構成されていることを特徴とする。
【０００６】本発明の緑化種子攪拌吹付機の重力を支持する駆動設計仕様を配置し、緑化種子攪拌吹付をするパワー供給のバッテリーの搭載編成を特徴とする。
【０００７】上記エネルギー作用はシステム構造によって無線操縦によって制御されることを特徴とする。
【発明の効果】
【０００８】本発明は、上述のように、無線操縦を物理的作用連結システムの伝導駆動構成構造を完成させ、緑化種子攪拌吹付を迅速に作業ができることから作業性・能率性・効率性・生産性の向上が得られる。
【０００９】本発明は、無線による自在な移動を可能とする機能を備えている。しかも、トラブルの発生しないことから緑化種子攪拌吹付作業能率は向上することを特徴とする。
【００１０】本発明は、無線操縦作業を可能とすることから、ロボット作業量に対応した作業能率・安心・安全を提供する。
【発明を実施するための最良の形態】
【００１１】本発明の緑化種子攪拌吹付制御装置は、自在の移動に適合した整合構造を備えている。さらに、伝導駆動システムの構造で連結できる。【００１２】本発明の緑化種子攪拌吹付機の実施形態は実施済であり、システム構造を決定する一連の機能構造をもつ全体構造を維持する。各機能に連結された実施例であり多くの詳細形態は加えられる構造は、本発明の趣旨を逸脱しない範囲の変更は、本発明に含まれる。
【産業上の利用可能性】
【００１３】本発明の緑化種子攪拌吹付機は、無線操縦式の装置を備え、機能的にロボット対応を可能とした構造のシステム化を提供するものである。よって作業性・能率性・効率性・生産の向上が得られる。
(57)【要約】【課題】本発明のラジコン式全油圧客土・種子吹付機は、ラジコン操縦制御装置を備え、連結システム構造の伝導駆動機を決定とした一連が維持でき、作業を迅速に行うことが可能なことから作業性・能率性・効率性・生産性の向上を提供する。【解決手段】従来、トラブルによる作動停止や危険極まりない作業条件を、安心・安全、しかも、一人の集中操作で省力化を図る本発明のラジコン式全油圧客土・種子吹付機により、作業性・能率性・効率性・生産性の向上が得られる。【選択図】なし【特許請求の範囲】
【請求項１】
ラジコン式全油圧客土・種子吹付ラジコン装置は、所要位置に配置されたクラッチの入・開放のクラッチとブレーキの駆動装置と発電機に指令送信と受信対応する一人の操作駆動手段を備えたラジコン装置を特徴とする。
【請求項２】
上記記載の構造にラジコン装置は、ラジコン制御盤とラジコン受令機からの出力される信号に基づき種子吹付機の機能装置を特徴とした。
【請求項３】
請求項１、２によっての種子吹付ラジコン装置の吐出量は、４００Ｌ／ｍｉｎ・吹付揚程は、４０ｍを特徴とする。
【請求項４】
請求項１から請求項３における機能を備え、自在に移動ができる構造を特徴とする。
【請求項５】
ラジコン式全油圧客土・種子吹付構造は、本発明趣旨を逸脱しない範囲の変更は、本発明に含まれる。
【発明の詳細な説明】
【技術分野】
【０００１】本発明は、ラジコン式全油圧客土・種子吹付機に関するものである。
【背景技術】
【０００２】従来、客土・種子吹付作業は手作業が大半を示しており、作業能率・危険な箇所の作業は、ラジコン操縦が望まれていた。
【発明の開示】
【発明が解決しようとする課題】
【０００３】本発明は、上述のラジコン式において、全油圧客土・種子吹付制御装置を製造し、作業性・能率性・効率性・生産性向上を図る。【０００４】上記構造成形は、事故防止・安心・安全な客土・種子吹付をラジコン操縦装置の駆動手段で迅速な処理ができる。
【問題を解決するための手段】
【０００５】この発明は、客土・種子吹付をラジコン制御装置の伝導駆動システムに連結機構を搭載し、構成されていることを特徴とする。
【０００６】本発明の客土・種子吹付機の重力を支持する駆動設計仕様を配置し、客土・種子吹付をするパワー供給のバッテリーの搭載編成を特徴とする。
【０００７】上記エネルギー作用はシステム構造によってラジコン操縦によって制御されることを特徴とする。
【発明の効果】
【０００８】本発明は、上述のように、ラジコン操縦を物理的作用連結システムの伝導駆動構成構造を完成させ、客土・種子吹付を迅速に作業ができることから作業性・能率性・効率性・生産性の向上が得られる。
【０００９】本発明は、ラジコン操作による自在な移動を可能とする機能を備えている。しかも、トラブルの発生しないことからラジコン式全油圧客土・種子吹付作業能率は向上することを特徴とする。
【００１０】本発明は、ラジコン操縦作業を可能とすることから、ロボット作業量に対応した作業能率・安心・安全を提供する。
【発明を実施するための最良の形態】
【００１１】本発明のラジコン式全油圧客土・種子吹付制御装置は、自在の移動に適合した整合構造を備えている。さらに、伝導駆動システムの構造で連結できる。【００１２】本発明のラジコン式全油圧客土・種子吹付機の実施形態は実施済であり、システム構造を決定する一連の機能構造をもつ全体構造を維持する。各機能に連結された実施例であり多くの詳細形態は加えられる構造は、本発明の趣旨を逸脱しない範囲の変更は、本発明に含まれる。
【産業上の利用可能性】
【００１３】本発明のラジコン式全油圧客土・種子吹付機は、ラジコン操縦式の装置を備え、機能的にロボット対応を可能とした構造のシステム化を提供するものである。よって作業性・能率性・効率性・生産の向上が得られる。
(57)【要約】【課題】林内用無線操縦式刈払機装置は、制御装置・連結システム構造の伝導駆動機を決定とした一連機能が維持でき、作業を迅速に行うことが可能なことから作業性・能率性・効率性・生産性の向上を提供する。【解決手段】トラブルによる作動停止や危険極まりない作業条件を安心・安全しかも、一人の集中操作で省力化を図り、無線操縦式作業による刈払、作業性・能率性・効率性・生産性の向上が得られる。【選択図】なし【特許請求の範囲】
【請求項１】
林内用無線操縦式刈払機装置は、所要位置に配置されたクラッチの入・開放のクラッチとブレーキの駆動装置と発電機に指令送信と受信対応する一人の操作駆動手段を備えた刈払無線操縦装置を特徴とする。
【請求項２】
上記記載の構造に無線装置は、無線操縦制御盤と無線操縦受令機からの出力される信号に基づき集材の機能装置を特徴とした。
【請求項３】
無線操縦式刈払機装置は、刈払能力２７ａ／Ｈｏｕｒ作業を特徴とする。
【請求項４】
請求項１から請求項３における機能を備え、傾斜地を等高線に沿って走行できる構造を特徴とする。
【請求項５】
林内用無線操縦式刈払機構造は、本発明趣旨を逸脱しない範囲の変更は、本発明に含まれる。
【発明の詳細な説明】
【技術分野】
【０００１】本発明は、無線操縦式刈払機装置に関するものである。
【背景技術】
【０００２】従来、刈払作業は手作業が大半を示しており、作業能率・危険な箇所での刈払を無線化操縦に望まれていた。
【発明の開示】
【発明が解決しようとする課題】
【０００３】本発明は、上述の無線方式において、刈払制御装置を製造し、作業性・能率性・効率性・生産性向上を図る。【０００４】上記構造成形は、事故防止・安心・安全な無線操縦装置の駆動手段で迅速な処理ができる。
【問題を解決するための手段】
【０００５】この発明は、無線制御装置の伝導駆動システムに連結機構を搭載し、構成されていることを特徴とする。
【０００６】上記重力を支持する駆動設計仕様を配置し、刈払をするパワー供給のバッテリーの搭載編成を特徴とする。
【０００７】上記エネルギー作用はシステム構造によって無線操縦によって制御されることを特徴とする。
【発明の効果】
【０００８】本発明は、上述のように、無線操縦を物理的作用連結システムの伝導駆動構成構造を完成させ、安心・安全に刈払を迅速に作業ができることから作業性・能率性・効率性・生産性の向上が得られる。
【０００９】本発明は、無線による移動を可能とする機能を備えている。しかも、トラブルの発生しないことから刈払の作業能率は向上することを特徴とする。
【００１０】本発明は、無線操縦作業を可能とし、刈払能力２７ａ／Ｈｏｕｒを特徴とする。
【発明を実施するための最良の形態】
【００１１】本発明の林内用刈払制御装置において、傾斜地を等高線に沿って走行できる構造を備えている。さらには、伝導駆動システムの構造で連結できる。【００１２】本発明の実施形態は実施済であり、システム構造を決定する一連の機能構造をもつ全体構造を維持する。各機能に連結された実施例であり多くの詳細形態は加えられる構造は、本発明の趣旨を逸脱しない範囲の変更は、本発明に含まれる。
【産業上の利用可能性】
【００１３】本発明の林内用無線操縦式刈払機装置は、機能的にロボット対応を可能とした構造のシステム化を提供するものである。よって作業性・能率性・効率性・生産の向上が得られる。
(57)【要約】【課題】小型自走式無線操縦搬送機は、接続ケーブルや無線制御系を使用としない搬送制御装置を提供する。連結システム構造の伝導駆動機を決定とした一連が維持でき、水平・垂直移動を迅速に行うことが可能なことから作業性・能率性・効率性・生産性の向上を提供する。【解決手段】接続ケーブルによる断線・トラブルによる搬送機の作動停止や危険極まりない作業条件での安心・安全しかも、小型自走式無線操縦搬送作業で作業性・能率性・効率性・生産性の向上が得られる。【選択図】なし【特許請求の範囲】
【請求項１】
小型自走式無線操縦搬送装置は、駆動機構・水平移動機構・垂直移動機構が搭載されロボット駆動手段を備えた搬送制御装置を特徴とする。
【請求項２】
上記記載の構造にエンジンは、上下左右自在の条件でも水平が維持でき一定に保持できる装置を特徴とした。
【請求項３】
請求項１、２によっての小型自走式の搬送装置は、接続ケーブルを不要にしたことで、ケーブルの切断・トラブルの作業停止の回避を特徴とする。
【請求項４】
請求項１から請求項３における機能を備え、自在に移動ができる構造を特徴とする。
【請求項５】
小型自走式無線操縦搬送装置構造は、本発明趣旨を逸脱しない範囲の変更は、本発明に含まれる。
【発明の詳細な説明】
【技術分野】
【０００１】本発明は、小型自走式木材搬送装置における無線操縦搬送装置に関するものである。
【背景技術】
【０００２】従来、木材搬送作業は手作業が大半を示しており、危険な箇所での搬送を無線化操縦・ロボット搬送機が望まれていた。
【発明の開示】
【発明が解決しようとする課題】
【０００３】本発明は、上述のように無線方式において、接続ケーブル・無線制御系を用いない小型自走式搬送制御装置を製造し、作業性・能率性・効率性・生産性向上を図る。【０００４】上記構造成形は、事故防止・安心・安全な無線操縦搬送装置の駆動手段で迅速な処理ができる。
【問題を解決するための手段】
【０００５】この発明は、小型自送式搬送制御装置の伝導駆動システムに連結構成され、水平移動機構と垂直移動機構を搭載して構成されていることを特徴とする。
【０００６】本発明の水平・垂直の重力を支持する駆動設計仕様を配置し、水平・垂直移動をするパワー供給するバッテリーの搭載編成を特徴とする。
【０００７】上記エネルギー作用はシステム構造によって無線操縦によって制御されることを特徴とする。
【発明の効果】
【０００８】本発明は、上述のように、無線操縦を物理的作用連結システムの伝導駆動構成構造を完成させ、水平移動、垂直移動を迅速に作業ができることから作業性・能率性・効率性・生産性の向上が得られる。
【０００９】本発明は、無線による自在な移動を可能とする機能を備えている。しかも、接続ケーブルは、不要となり、ケーブルトラブルの発生しないことから木材搬送の作業能率は向上することを特徴とする。
【００１０】本発明は、小型自走式無線操縦搬送移動作業を可能とすることから、ロボット作業量に対応した作業能率・安心・安全を提供する。
【発明を実施するための最良の形態】
【００１１】本発明の小型自走式搬送制御装置において、移動自在に適合した整合構造を備えている。さらには、伝導駆動システムの構造で連結できる。【００１２】本発明の実施形態は実施済であり、システム構造を決定する一連の機能構造をもつ全体構造を維持する。各機能に連結された実施例であり多くの詳細形態は加えられる構造は、本発明の趣旨を逸脱しない範囲の変更は、本発明に含まれる。
【産業上の利用可能性】
【００１３】本発明の小型自走式無線操縦搬送制御装置は、機能的にロボット対応を可能とした構造のシステム化を提供するものである。よって作業性・能率性・効率性・生産の向上が得られる。
(57)【要約】【課題】タバコ１本入りのタバコケースとケースの栓を兼ねたパイプを提供する。【解決手段】タバコケース（１）とケースの栓を兼ねたパイプを一体にしたことを特徴とする。【選択図】図２
2011115139.tif 000002
【特許請求の範囲】
【発明の詳細な説明】
【技術分野】
【０００１】本発明は、喫煙者が禁煙するのに使用するもので、禁煙計画を立て、禁煙が成功するまで続けられることを可能にしたものである
【背景技術】
【０００２】従来から禁煙グッズはあるが、いずれも使用すると、タバコ本来の味が変わり禁煙に失敗する人が多くいる。
【先行技術文献】
【特許文献１】
【０００３】特開２００８−３０１８０２、特許図書館、１／５Ｐ
【非特許文献】
【０００４】アレン、カー著、ＫＫロングセラーズ発行所  ２００５年８月２０日発行  Ｐ１７７〜１７９
【発明の概要】
【発明が解決しようとする課題】
【０００５】従来の禁煙グッズを使用し禁煙を始めても、タバコ本来の味が変わるために、長続きせず、禁煙に失敗する人が多くいる。【０００６】本発明は、このような従来の禁煙グッズの欠点をなくして、禁煙の失敗をなくすようになされたものである。
【課題を解決しようとする手段】
【０００７】上述の課題を解決するための本発明は、
タバコケース（１）
パイプ兼用栓（２）
掃除用キャップ（３）
を設ける。
【０００８】本発明は、以上の構成からなる、禁煙グッズである。
【発明の効果】
【０００９】喫煙には、パイプ（２）を使用して、喫煙途中で、タバコケース（１）に差し込む、タバコの火は瞬間に消える。
【００１０】本発明はこうして、１本のタバコを数回に分けて喫煙して、喫煙本数を徐々に減らして、禁煙の失敗原因になる、ニコチン依存を少なくして、習慣も変わり、無理をせずに禁煙を可能にしたグッズである。
【００１１】タバコ本来の味も変わらず違和感なくに禁煙を始められるものである。
【００１２】また使用法として、少量なら吸いガラ入れとしても使え禁煙意識もとぎれず長続きする、内面的にも禁煙に役立つグッズである。
【図面の簡単な説明】
【００１３】
【図１】本発明の斜視図である
【図２】図１におけるＡ−Ａ線断面図である
【図３】パイプ兼用栓の使用例を示す斜視図である
【図４】本発明の使用例を示す斜視図である
【発明を実施するための形態】
【００１４】以下、本発明の実施の形態を図１〜４に基づいて説明する。
【００１５】図３の（２）の兼用パイプで、（４）のタバコを喫煙し、途中で図４の（１）タバコケース内に差し込む、
火は一瞬に消える、
次の喫煙は、タバコケース１から残りのタバコを取り出してパイプ（２）を使い喫煙、
そうして１本のタバコを数回に分けて喫煙をする。
【００１６】一本のタバコを２回３回と分けて喫煙し、１日の喫煙量を少なくして、ニコチン依存を減少させ、習慣もなくし禁煙を成功させるものである。
【００１７】禁煙に失敗してもまた続ければ良い。
成功するまで続けることを可能にした。
【符号の説明】
【００１８】１、  本発明タバコケース
２、  パイプ兼用栓
３、  掃除用キャップ
４、  タバコ
【図１】
2011115139.tif 000003
【図２】
2011115139.tif 000004
【図３】
2011115139.tif 000005
【図４】
2011115139.tif 000006
【手続補正書】
【提出日】平成22年2月9日(2010.2.9)
【手続補正２】
【補正対象書類名】特許請求の範囲
【補正対象項目名】全文
【補正方法】変更
【補正の内容】
【特許請求の範囲】
【請求項１】
タバコケース（１）の上部に、パイプ兼用栓（２）を設け、下部に掃除用キャップを設けたことを特徴とする減煙ケース、ペン形でありポケットに差せるものでもある。
【請求項２】
喫煙は栓を兼ねたパイプ（２）を使用して喫煙途中でタバコケース（１）内に差し込むとタバコの火はシュン間に消える、次の喫煙ケース内の残りのタバコを取り出し（２）のパイプにて喫煙１本のタバコを分けて喫煙出来ることを特徴とするタバコケースである。
【請求項３】
本発明のタバコケースを使用し喫煙すると１本のタバコが２回３回と分けて喫煙が出来１日の喫煙量が少くなくなり同時に禁煙の失敗原因である、ニコチン依存の減少、習慣も変え禁煙をしやすくしたことを特徴とする
(57)【要約】【課題】無線操縦搬送機の油圧駆動機制御装置は、連結システム構造の伝導駆動機を決定とした一連維持ができ、作業を迅速に行うことが可能なことから作業性・能率性・効率性・生産性の向上を提供する。【解決手段】トラブルによる作動停止や危険極まりない作業条件を安心・安全しかも、無線操作で省力化を図る。無線操縦搬送機の油圧駆動式装置は、無線操縦によって、作業性・能率性・効率性・生産性の向上が得られる。【選択図】なし【特許請求の範囲】
【請求項１】
無線操縦搬送機の油圧駆動装置は、所要位置に配置されたクラッチの入・開放のクラッチとブレーキの駆動装置と発電機に指令送信と受信対応する操作駆動手段を備えた集材装置を特徴とする。
【請求項２】
上記記載の無線操縦搬送機の油圧駆動装置は、無線制御盤と無線受令機からの出力される信号に基づき集材の機能装置を特徴とした。
【請求項３】
請求項１、２によっての無線操縦搬送機の油圧駆動装置は、作業トラブルによる作業停止の回避を特徴とする。
【請求項４】
請求項１から請求項３における機能を備え、自在に移動ができる構造を特徴とする。
【請求項５】
無線操縦搬送機の油圧駆動装置は、本発明趣旨を逸脱しない範囲の変更は、本発明に含まれる。
【発明の詳細な説明】
【技術分野】
【０００１】本発明は、木材集材における無線操縦搬送機の油圧駆動装置に関するものである。
【背景技術】
【０００２】従来、木材集材作業は手作業が大半を示しており、作業能率・危険な箇所での集材を無線操縦装置が望まれていた。
【発明の開示】
【発明が解決しようとする課題】
【０００３】本発明は、上述の無線操縦搬送機の油圧駆動装置において、制御装置を製造し、作業性・能率性・効率性・生産性向上を図る。【０００４】上記構造成形は、事故防止・安心・安全な無線操縦装置の駆動手段で迅速な処理ができる。
【問題を解決するための手段】
【０００５】この発明は、無線操縦搬送機の油圧駆動制御装置に伝導駆動システム連結機構を搭載し、構成されていることを特徴とする。
【０００６】無線操縦搬送機の油圧駆動設計仕様を配置し、集材機能パワー供給のバッテリー搭載編成を特徴とする。
【０００７】上記エネルギー作用はシステム構造によって無線操縦によって制御されることを特徴とする。
【発明の効果】
【０００８】本発明は、上述のように、無線操縦を物理的作用連結システムの伝導駆動構成構造を完成させ、集材を迅速に搬送作業ができることから作業性・能率性・効率性・生産性の向上が得られる。
【０００９】本発明は、無線操縦による自在な移動を可能とする機能を備えている。しかも、トラブルの発生しないことから集材搬送の作業能率は向上することを特徴とする。
【００１０】本発明は、無線操縦作業を可能とすることから、ロボット作業量に対応した作業を可能とし、能率・安心・安全を提供する。
【発明を実施するための最良の形態】
【００１１】本発明の無線操縦搬送機制御装置において、移動自在に適合した整合構造を備えている。さらには、伝導駆動システムの構造で連結できる。【００１２】本発明の実施形態は実施済であり、システム構造を決定する一連の機能構造をもつ全体構造を維持する。各機能に連結された実施例であり多くの詳細形態は加えられる構造は、本発明の趣旨を逸脱しない範囲の変更は、本発明に含まれる。
【産業上の利用可能性】
【００１３】本発明の無線操縦搬送機の油圧駆動装置は、機能的にロボット対応を可能とした構造のシステム化を提供するものである。よって作業性・能率性・効率性・生産の向上が得られる。
(57)【要約】【課題】トラック搭載型林道除草リモコン装置は、制御装置・連結システム構造の伝導駆動機を決定とした一連機能が維持でき、作業を迅速に行うことが可能なことから作業性・能率性・効率性・生産性の向上を提供する。【解決手段】トラブルによる作動停止や危険極まりない作業条件を安心・安全しかも、トラックに車内搭乗操作で省力化を図り、リモコン操縦作業による、作業性・能率性・効率性・生産性の向上が得られる。【選択図】なし【特許請求の範囲】
【請求項１】
トラック搭載型林道除草リモコン装置は、所要位置に配置されたクラッチの入・開放のクラッチとブレーキの駆動装置と発電機に指令送信と受信対応する一人の操作駆動手段を備えた除草無線操縦装置を特徴とする。
【請求項２】
上記記載の構造にリモコン装置は、無線操縦制御盤と無線操縦受令機からの出力される信号に基づき集材の機能装置を特徴とした。
【請求項３】
リモコン操縦除草装置は、トラック運転しながらの作業を特徴とする。
【請求項４】
請求項１から請求項３における機能を備え、路肩に沿って除草走行できる構造を特徴とする。
【請求項５】
トラック搭載型林道除草機構造は、本発明趣旨を逸脱しない範囲の変更は、本発明に含まれる。
【発明の詳細な説明】
【技術分野】
【０００１】本発明は、林道の路肩除草をリモコン操縦装置に関するものである。
【背景技術】
【０００２】従来、林道の路肩除草は手作業が大半を示しており、作業能率・効率面からリモコン操縦が望まれていた。
【発明の開示】
【発明が解決しようとする課題】
【０００３】本発明は、上述において、リモコン制御装置を製造し、作業性・能率性・効率性・生産性向上を図る。【０００４】上記構造成形は、事故防止・安心・安全なリモコン操縦装置の駆動手段で迅速な処理ができる。
【問題を解決するための手段】
【０００５】この発明は、リモコン制御装置の伝導駆動システムに連結機構を搭載し、構成されていることを特徴とする。
【０００６】上記重力を支持する駆動設計仕様を配置し、除草をするパワー供給のバッテリーの搭載編成を特徴とする。
【０００７】上記エネルギー作用はシステム構造によってリモコン操縦によって制御されることを特徴とする。
【発明の効果】
【０００８】本発明は、上述のように、リモコン操縦を物理的作用連結システムの伝導駆動構成構造を完成させ、安心・安全に除草を迅速に作業ができることから作業性・能率性・効率性・生産性の向上が得られる。
【０００９】本発明は、リモコン操作による移動を可能とする機能を備えている。しかも、トラブルの発生しないことから刈払の作業能率は向上することを特徴とする。
【００１０】本発明のリモコン操縦除草装置は、トラックに搭乗走行し、車内リモコンによる刈刃の前後・上下・エンジン出力の調節を可能とし、能率のよい林道の路肩除草を特徴とする。
【発明を実施するための最良の形態】
【００１１】本発明のトラック搭載型林道除草リモコン制御装置は、搭乗走行しつつ、車内リモコンにより、林道の路肩に沿って走行除草構造を備えている。【００１２】本発明の実施形態は実施済であり、システム構造を決定する一連の機能構造をもつ全体構造を維持する。各機能に連結された実施例であり多くの詳細形態は加えられる構造は、本発明の趣旨を逸脱しない範囲の変更は、本発明に含まれる。
【産業上の利用可能性】
【００１３】本発明のトラック搭載型林道除草リモコン制御装置は、機能的に林道の路肩に沿って除草走行対応を可能とした構造のシステム化を提供するものである。よって安心・安全・作業性・能率性・効率性・生産の向上が得られる。
(57)【要約】【課題】スカイキャレージによる集材・運材・土木工事の資材等の運搬機にラジコン装置は、連結システム構造の伝導駆動機を決定とした一連維持を可能とし、作業を迅速に行うことから作業性・能率性・効率性・生産性の向上を提供する。【解決手段】集材・運材・運搬作業の事故・トラブルによる作動停止や危険極まりない作業条件を安心・安全、しかもラジコン集中操作で省力化を図るスカイキャレージによる集材・運材・運搬装置にラジコン装置は、事故防止・作業性・能率性・効率性・生産性の向上が得られる。【選択図】なし【特許請求の範囲】
【請求項１】
スカイキャレージによる集材・運材・土木工事の資材運搬機にラジコンを装置し、所要位置に配置されたクラッチの入・開放のクラッチとブレーキの駆動装置と発電機に指令送信と受信対応する一人の操作駆動手段を備えたラジコン装置を特徴とする。
【請求項２】
上記記載の構造にラジコンの装置は、ラジコン制御盤とラジコン受令機からの出力される信号に基づき集材の機能装置を特徴とした。
【請求項３】
請求項１、２によってのスカイキャレージによる運搬装置は、事故・作業トラブルによる作業停止の回避を特徴とする。
【請求項４】
請求項１から請求項３における機能を備え、自在に移動ができる構造を特徴とする。
【請求項５】
スカイキャレージによる運搬装置構造の趣旨を逸脱しない範囲の変更は、本発明に含まれる。
【発明の詳細な説明】
【技術分野】
【０００１】本発明は、スカイキャッレージによる集材・運材・土木工事の資材運搬機にラジコン機能装置に関するものである。
【背景技術】
【０００２】従来、立木伐倒集材作業・集材・運材・土木工事の資材運搬に手作業が大半を示しており、作業能率・危険な箇所での作業をラジコン操作機の製造が望まれていた。
【発明の開示】
【発明が解決しようとする課題】
【０００３】本発明は、上述の運搬をスカイキャレージによる集材・運材機装置にラジコン制御装置を製造し、作業性・能率性・効率性・生産性向上を図る。【０００４】上記構造成形は、事故防止・安心・安全なラジコン装置の駆動手段で迅速な処理ができる。
【問題を解決するための手段】
【０００５】この発明は、ラジコン制御装置の伝導駆動システムに連結機構を搭載し、構成されていることを特徴とする。
【０００６】ラジコン駆動設計仕様を配置し、運搬装置を用いパワー供給のバッテリーの搭載編成を特徴とする。
【０００７】上記エネルギー作用システム構造は、ラジコン制御装置を特徴とする。
【発明の効果】
【０００８】本発明は、上述のように、ラジコンを運搬機能に連結システムの伝導駆動構成構造を完成させ、運搬を迅速に作業ができることから作業性・能率性・効率性・生産性の向上が得られる。
【０００９】本発明は、ラジコン操作による自在性を可能とする機能を備えている。しかも、事故トラブルの発生しないことから運搬の作業能率の向上することを特徴とする。
【００１０】本発明は、ラジコン操縦で作業を可能とすることから、ロボット作業量に対応した作業能率・安心・安全を提供する。
【発明を実施するための最良の形態】
【００１１】本発明のスカイキャレージにラジコン制御装置を自在に適合した整合構造を備えている。さらには、伝導駆動システムの構造で連結できる。【００１２】本発明のスカイキャレージによる集材・運材・土木の資材運搬にラジコン装置の実施形態は実施済であり、システム構造を決定する一連の機能構造をもつ全体構造を維持する。各機能に連結された実施例であり多くの詳細形態の加えられる構造趣旨を逸脱しない範囲の変更は、本発明に含まれる。
【産業上の利用可能性】
【００１３】本発明のスカイキャレージによるラジコン装置の運搬機械は、機能的にロボット対応を可能とした構造のシステム化を提供するものである。よって作業性・能率性・効率性・生産の向上が得られる。
(57)【要約】【課題】油圧式クサビは、伐採木材の隙間にクサビを必要とし、調製の繰り返しから作業能率が上がらず・伐採木材の倒れる方向が必ずしも一定方向にならず残存木の損傷が裂けられず、これらの問題解決を図り有用な効果のもたらすことを目的とする。【解決手段】油圧式シリンダのピストン運動のクサビを取り入れ、伐採方向を容易にし安全・安心な伐採作業に高能率機能を備えた有用な油圧式クサビを提供する。【選択図】なし【特許請求の範囲】
【請求項１】
ジグザグ滑車を軽量な仕様にし・取り外しを容易にし・移動を容易としたことから持ち運びが楽で効果・効率を高め有せしめたことを特徴とする。
【請求項２】
ジグザグ滑車のワイヤー径の適合を１０から１２ｍｍにしたことを特徴とする。
【請求項３】
ジグザグ滑車の荷重を１０００ｇにしたことを特徴とする。
【請求項４】
ジグザグ滑車の構造は、本発明趣旨を逸脱しない範囲の変更は、本発明に含まれる。
【発明の詳細な説明】
【技術分野】
【０００１】本発明は、木材の伐採に関するもので作業効率を向上する油圧式クサビの提供。
【背景技術】
【０００２】従来、伐採木材の隙間にクサビを必要とされ調製の繰り返しから作業能率が上がらず単一装置のクサビの押し込み・抜き取りの容易な安全な作業のできるクサビを望んでいた。
【発明の開示】
【発明が解決しようとする課題】
【０００３】本発明の油圧式クサビは、打ち込みクサビの作業上困難な場所において作業効率を高める。クサビ解決できない箇所に、本装置を有せしめる効果は、簡易で安価な装置を提供することを目的とする。
【課題を解決するための手段】
【０００４】本発明の油圧クサビは、油圧シリンダのピストンで押し圧する。装置範囲の動線・移動・多くの人手・作業中に誤っての残存木への損傷等、効率・低能率・リスクが問題になっていた。このことは、油圧クサビの有効性から伐採方向を容易にし、木材伐採を容易にし、かつ残存木の損傷がさけられ上記目的を達成する。
【発明の効果】
【０００５】油圧式クサビを使用することで木材伐採を容易にし、作業の効率・効果機能を備える。【０００６】油圧式クサビは、作業において複雑な困難な位置でクサビ設定をすることができ、効率的な作業が実現でき、作業処理を容易にすることから経済効果を生む。【０００７】油圧式クサビは、容易な取り外しを可能とし、容易な移動を可能とすることを特徴とし、持ち運びが楽で効果・効率が発揮できる。【０００８】本発明は、立地の悪条件な場所・急斜面等の伐採に高い能率・効率を上げ、全体的に効率の高い伐採作業が実現できる
【発明を実施するための最良の形態】
【０００９】本発明の実施形態は実施済であり、効率的な伐採作業が可能となる。【００１０】油圧式クサビは、押し圧・抜き取りを容易にする。【００１１】打ち込みクサビの無理な場合に油圧式クサビが発揮することを特徴とする。【００１２】上記構造面の単一、もしくは組み合わせ構造を可能とし、移設、移動の可能を特徴とする。【００１３】油圧式クサビの構造は、形状、強度、素材等実態の状況把握によって対応策を考慮したことを特徴とすることから、本発明趣旨を逸脱しない範囲の変更は、本発明に含まれる。
【産業上の利用可能性】
【００１４】本発明の油圧クサビは、複雑な困難な地形において効率的な機能を高め作業効率・能率向上が発揮される。【００１５】さらに、作業方向進行変換が簡単操作でしかも安価で安心・安全な油圧クサビを提供し、産業上の利用に貢献できる。